(57)【要約】【課題】  表面が一様でない被撮像物からの正反射光を原因とする、複写物上の白色画像領域の発生を抑制する。【解決手段】  透明フィルムＦの表面では、波打ち形状によって入射光が正反射してしまい、非常に強い強度の反射光が撮像素子へと導かれることになる。そこで、入射角をより大きくすると、透明フィルムＦの表面において光が照射される箇所が少し違っただけで、それらの箇所に照射された光が反射する方向が大きく異なる。この結果、非常に狭い領域Ｆ２で正反射した光だけが撮像素子の方向に進行する。よって、その反射光に含まれる正反射光成分は、入射角４５°のときよりも低減することになる。【選択図】      図５
2006279227.tif 000002
【特許請求の範囲】
【請求項１】
被撮像物に対して第１の入射角で光を照射する第１の照射手段と、
被撮像物に対して前記第１の入射角よりも大きい第２の入射角で光を照射する第２の照射手段と、
前記第１の照射手段から被撮像物に光を照射させる第１の動作モードと、前記第２の照射手段から被撮像物に光を照射させる第２の動作モードとを切り替えるモード切替手段と、
前記第１の照射手段又は前記第２の照射手段によって光が照射された被撮像物からの拡散反射光を結像させる結像手段と、
前記結像手段により結像された光を受光し、その光に応じた画像信号を生成する撮像手段と、
前記撮像手段によって生成された画像信号に基づき、被撮像物を表す画像データを生成し、出力する画像データ生成手段と
を備える撮像装置。
【請求項２】
前記モード切替手段は、
前記第１の動作モードにおいて、プレスキャンとして第１の照射手段から被撮像物に光を照射させ、前記撮像手段によって画像信号を生成させるプレスキャン手段と、
前記プレスキャンにおいて前記撮像手段によって生成された画像信号を解析し、この画像信号が表す光強度レベルと基準レベルとを比較する比較手段とを備え、
前記画像信号が表す光強度レベルが基準レベルよりも大きい場合には、前記第２の動作モードに切り替える請求項１記載の撮像装置。
【請求項３】
前記第２の入射角を変化させる入射角可変手段を備え、
前記第２の動作モードに切り替えられた後に、前記比較手段が、前記撮像手段によって生成された画像信号を解析し、この画像信号が表す光強度レベルと基準レベルとを比較し、この比較によって前記画像信号が表す光強度レベルが基準レベルよりも大きい場合には、前記入射角可変手段が前記第２の入射角をさらに大きくする請求項２記載の撮像装置。
【請求項４】
前記モード切替手段は、
前記第１の動作モードにおいて、プレスキャンとして第１の照射手段から被撮像物に光を照射させ、これにより前記画像データ生成手段に画像データを生成させるプレスキャン手段と、
前記プレスキャンにおいて前記画像データ生成手段が生成した画像データを解析し、一定方向に延びる所定の長さ以上の白色の画像領域が複数存在するか否かを判断する判断手段とを備え、
前記判断手段により前記白色の画像領域が複数存在すると判断された場合には、前記第２の動作モードに切り替える請求項１記載の撮像装置。
【請求項５】
前記第２の入射角を変化させる入射角可変手段を備え、
前記第２の動作モードに切り替えられた後に、前記判断手段が、前記画像データ生成手段によって生成された画像データを解析し、一定方向に延びる所定の長さ以上の白色の画像領域が複数存在するか否かを判断し、この判断によって前記白色の画像領域が複数存在すると判断された場合には、前記入射角可変手段が前記第２の入射角をさらに大きくする請求項４記載の撮像装置。
【請求項６】
操作者からの指示が入力される入力手段を備え、
前記モード切替手段は、前記入力手段に入力された指示が第１の動作モードへの切り替えを指示する場合は、前記第１の動作モードに切り替える一方、前記入力手段に入力された指示が第２の動作モードへの切り替えを指示する場合は、前記第２の動作モードに切り替える請求項１記載の撮像装置。
【請求項７】
前記第１の入射角は略４５°であり、前記第２の入射角は６０°ないし７０°である請求項１記載の撮像装置。
【発明の詳細な説明】
【技術分野】
【０００１】
本発明は、表面が一様でない被撮像物を読み取るための技術に関する。
【背景技術】
【０００２】
物体表面はそれぞれ「質感」を有している。例えば研磨された金属の表面はつややかな「光沢感」を観察者に与える。特許文献１には、被撮像物の光沢感を読み取るための技術が開示されている。
【特許文献１】特開平６−７００９７号公報
【発明の開示】
【発明が解決しようとする課題】
【０００３】
ところで、写真の上に透明フィルムが被せられた写真アルバムを複写機で複写する場合には、その透明フィルムの表面が波打っていないかどうかを確認しなければならない。なぜなら、透明フィルムの表面が波打っていると、複写物ではその波打ち部分だけが白く写ってしまうからである。図９は、写真アルバムをコピー機のスキャナで読み取る際の様子を示した断面図である。図９に示すように、写真Ｐは透明フィルムＦによって覆われているが、写真Ｐと透明フィルムＦとの間に空気層Ａが断続的に介在することにより、透明フィルムＦが波打ち、その表面が一様ではない状態になっている。スキャナの光源から光が光路Ｌ１に沿って透明フィルムＦ及び写真Ｐに照射された場合、その光は透明フィルムＦの表面で反射して光路Ｌ２に沿って進む。この反射光は図示せぬ光学系部材を介してＣＣＤ（Charge Coupled Device）等の撮像素子へと導かれる。このとき、透明フィルムＦは図示のように波打っているので、例えば透明フィルムＦの領域Ｆ’の表面では入射光が正反射してしまい、非常に強い強度の反射光が撮像素子へと導かれることになる。なお、正反射とは、反射面において入射角とほぼ同じ反射角で反射することを言う。
【０００４】
特に透明フィルムＦの表面は、微視的に見ると極めて平滑に仕上げられているので、いわゆる光沢度が高く、その正反射光の光強度レベルはよりいっそう大きくなる。一般に、複写機では基準白板などからの反射光の光強度レベルを基準レベルとし、その基準レベルを超える光強度レベルの画像信号をすべて白色を意味する画像信号として取り扱う（いわゆるシェーディング補正）。よって、上記のような光強度レベルが大きい反射光に対応する領域Ｆ’は、最終的に複写された写真画像上に、何本もの筋状の白色画像領域として現れてしまう。これでは、操作者が真に複写したい対象である写真をうまく複写することができない。上述した特許文献１は、被撮像物表面の表面特性（光沢感）をどのようにして読み取るかということを課題とした技術であった。しかしその一方で、上述した問題に鑑みた場合、物体の表面特性の如何に関わらず、真に読み取りたい対象を良好に読み取るための技術が必要とされる。
【０００５】
本発明は上述した事情に鑑みてなされたものであり、その目的は、表面が一様でない被撮像物からの正反射光を原因とする、複写物上の白色画像領域の発生を抑制することが可能な仕組みを提供することにある。
【課題を解決するための手段】
【０００６】
上述の目的を達成するために、本発明は、被撮像物に対して第１の入射角で光を照射する第１の照射手段と、被撮像物に対して前記第１の入射角よりも大きい第２の入射角で光を照射する第２の照射手段と、前記第１の照射手段から被撮像物に光を照射させる第１の動作モードと、前記第２の照射手段から被撮像物に光を照射させる第２の動作モードとを切り替えるモード切替手段と、前記第１の照射手段又は前記第２の照射手段によって光が照射された被撮像物からの拡散反射光を結像させる結像手段と、前記結像手段により結像された光を受光し、その光に応じた画像信号を生成する撮像手段と、前記撮像手段によって生成された画像信号に基づき、被撮像物を表す画像データを生成し、出力する画像データ生成手段とを備える撮像装置を提供する。
【０００７】
入射角が大きくなると、被撮像物の表面において光が照射される箇所が少し違っただけで、それらの箇所に照射された光が反射する方向が大きく異なる。この結果、被撮像物の表面の非常に狭い領域で正反射した光だけが結像手段により結像される。よって、結像手段へと反射する反射光に含まれる正反射光成分は、入射角が小さいときよりも低減することになる。よって、表面が一様でない被撮像物であっても、反射光に含まれる正反射光成分を原因とする複写物上の白色画像領域の発生を抑制することが可能となる。
【０００８】
本発明の好ましい態様において、前記モード切替手段は、前記第１の動作モードにおいて、プレスキャンとして第１の照射手段から被撮像物に光を照射させ、前記撮像手段によって画像データを生成させるプレスキャン手段と、前記プレスキャンにおいて前記撮像手段によって生成された画像信号を解析し、この画像信号が表す光強度レベルと基準レベルとを比較する比較手段とを備え、前記画像信号が表す光強度レベルが基準レベルよりも大きい場合には、前記第２の動作モードに切り替える。
【０００９】
上記態様において、前記第２の入射角を変化させる入射角可変手段を備え、前記第２の動作モードに切り替えられた後に、前記比較手段が、前記撮像手段によって生成された画像信号を解析し、この画像信号が表す光強度レベルと基準レベルとを比較し、この比較によって前記画像信号が表す光強度レベルが基準レベルよりも大きい場合には、前記入射角可変手段が前記第２の入射角をさらに大きくすることが望ましい。
【００１０】
また、本発明の別の好ましい態様において、前記モード切替手段は、前記第１の動作モードにおいて、プレスキャンとして第１の照射手段から被撮像物に光を照射させ、これにより前記画像データ生成手段に画像データを生成させるプレスキャン手段と、前記プレスキャンにおいて前記画像データ生成手段が生成した画像データを解析し、一定方向に延びる所定の長さ以上の白色の画像領域が複数存在するか否かを判断する判断手段とを備え、前記判断手段により前記白色の画像領域が複数存在すると判断された場合には、前記第２の動作モードに切り替える。
【００１１】
上記態様において、前記第２の入射角を変化させる入射角可変手段を備え、前記第２の動作モードに切り替えられた後に、前記判断手段が、前記画像データ生成手段によって生成された画像データを解析し、一定方向に延びる所定の長さ以上の白色の画像領域が複数存在するか否かを判断し、この判断によって前記白色の画像領域が複数存在すると判断された場合には、前記入射角可変手段が前記第２の入射角をさらに大きくすることが望ましい。
【００１２】
また、本発明の好ましい態様において、操作者からの指示が入力される入力手段を備え、前記モード切替手段は、前記入力手段に入力された指示が第１の動作モードへの切り替えを指示する場合は、前記第１の動作モードに切り替える一方、前記入力手段に入力された指示が第２の動作モードへの切り替えを指示する場合は、前記第２の動作モードに切り替える。
【００１３】
なお、前記第１の入射角は略４５°であり、前記第２の入射角は６０°ないし７０°であることが望ましい。
【発明を実施するための最良の形態】
【００１４】
（１）被撮像物と入射光及び反射光の関係
本発明の実施形態の詳細な説明に入る前に、入射光と反射光について簡単に説明しておく。図１は、被撮像物表面における光の反射状態を概念的に示した図である。一般に、入射角θ１で被撮像物に入射した光は反射角θ２で反射し、このとき反射角θ２は入射角θ１と等しくなると解される（反射の法則）。しかし実際には、入射光は反射角θ２のみで反射するものではなく、あらゆる角度に反射していることが多い。これは、反射面を光の波長と同程度のオーダーで捉えた場合には、反射面は必ずしも平滑ではなく、多少の凹凸を有していることが多いためである。反射面に凹凸があれば当然、入射光もその凹凸に応じてさまざまな角度に反射する。ここでは、反射面を巨視的に捉えたときに、反射面から入射角とほぼ同じ角度で反射する反射のことを「正反射（Specular Reflection）」といい、この反射光のことを「正反射光」という。また、入射光の入射角によらず、反射面からあらゆる角度に反射する反射のことを「拡散反射（Diffuse Reflection）」といい、この反射光のことを「拡散反射光」という。なお、一般に表面反射光に正反射成分を多く含む物体ほど、その表面はより強い光沢を示す。つまり、物体の光沢度はその表面（反射面）の微視的な表面性状に依存し、微視的に平滑であるほど光沢度も高くなる。図１においては、正反射光を表す光路に符号Ｌｓｒを付し、拡散反射光を表す光路に符号Ｌｄｒを付している。
【００１５】
（２）実施形態の詳細
図２は、本発明の一実施形態に係る画像形成装置１の装置構成を示した図である。この画像形成装置１は、被撮像物を読み取って画像データを生成する画像読取部１０と、この画像データに基づいて記録用紙等の記録材にトナー像を形成する画像形成部２０とに大別される。画像読取部１０はいわゆるスキャナに相当し、画像形成部２０はいわゆるプリンタに相当するものである。つまり画像形成装置１は、スキャナやプリンタの機能を兼ね備えたいわゆる複合機である。
【００１６】
画像読取部１０は、フルレートキャリッジ１１０と、ハーフレートキャリッジ１２０と、結像レンズ１３０と、ラインセンサ１４０と、プラテンガラス１５０と、プラテンカバー１６０とを備える。フルレートキャリッジ１１０は図示せぬ駆動部によって駆動され、図２中の矢印Ｃ方向に速度ｖで移動されながら被撮像物Ｏの読み取りを行う（以下では、この動作のことを「スキャン動作」という）。ハーフレートキャリッジ１２０はミラー１２１および１２２を備え、フルレートキャリッジ１１０からの光を結像レンズ１３０へと導く。また、ハーフレートキャリッジ１２０は図示せぬ駆動部にって駆動され、フルレートキャリッジ１１０の半分の速度（すなわちｖ／２）でフルレートキャリッジ１１０と同じ方向へと移動される。結像レンズ１３０は例えばｆθレンズ等を備えた結像手段である。結像レンズ１３０はミラー１２２とラインセンサ１４０とを結ぶ光路上に設けられており、被撮像物Ｏからの光をラインセンサ１４０の位置で結像させる。結像レンズ１３０は単一のレンズにより構成されるものに限定されず、種々の部材を含み得る。本実施形態においては、反射光の光路上に存在するミラーやレンズ等を総称して「結像手段」という。
【００１７】
ラインセンサ１４０は結像された光を受光し、その光に応じた画像信号を生成して出力する撮像手段であり、例えばオンチップカラーフィルタを備えた複数ラインのＣＣＤイメージセンサ（撮像素子列）である。本実施形態においては、Ｂ（ブルー），ＢＧ（ブルーグリーン），Ｇ（グリーン），Ｒ（レッド）の４色にて撮像可能なイメージセンサが用いられる。ラインセンサ１４０は、これら４色の画像信号を各色８ビットで出力する。
【００１８】
プラテンガラス１５０は透明で平坦なガラス板であり、読み取るべき被撮像物Ｏが載置される。プラテンガラス１５０の両面には、例えば多層誘電体膜等の反射抑制層が形成されており、プラテンガラス１５０表面での反射が低減されるようになっている。プラテンカバー１６０はプラテンガラス１５０を覆うようにして設けられており、外光を遮断してプラテンガラス１５０上に載置された被撮像物Ｏの読み取りを容易にする。
【００１９】
以上の構成のもと、画像読取部１０においては、プラテンガラス１５０上に載置された被撮像物Ｏにフルレートキャリッジ１１０が光を照射し、この被撮像物Ｏからの反射光がミラー１２１，１２２経由でラインセンサ１４０に読み取られる。ラインセンサ１４０は読み取った反射光に基づき、Ｂ（ブルー），ＢＧ（ブルーグリーン），Ｇ（グリーン），Ｒ（レッド）の４色の画像信号を後述する画像処理部５０に供給する。画像処理部５０は画像信号に基づいて画像データを生成し、画像形成部２０に供給する。
【００２０】
次に、上述したフルレートキャリッジ１１０の構成について説明する。
ここで、図３は、フルレートキャリッジ１１０の構成を詳細に示した図である。図３に示すように、フルレートキャリッジ１１０は、第１光源１１１と、第２光源１１２と、ミラー１１３とを備える。第１光源１１１および第２光源１１２は、例えばタングステンハロゲンランプやキセノンアークランプである。第１光源１１１は被撮像物Ｏに対してθ１１＝４５°の入射角で光を照射する位置に設けられている。これに対し、第２光源１１２は被撮像物Ｏに対してθ１２＝約６５°の入射角で光を照射する位置に設けられている。
【００２１】
ミラー１１３は、第１光源１１１又は第２光源１１２によって光が照射された被撮像物Ｏからの反射光を反射し、この光をハーフレートキャリッジ１２０へと導く。このミラー１１３は、表面が一様な被撮像物Ｏからの反射角が約０°となる反射光が入射されるような位置に設けられている。よって、入射角θ１１＝４５°で、表面が一様な被撮像物（例えば通常の用紙等）に光が照射された場合、被撮像物Ｏからミラー１１３への反射する反射光には正反射光は含まれず、拡散反射光のみとなっている。そのため、ミラー１１３によって反射された光からは、被撮像物Ｏからの反射光の拡散反射成分を読み取ることができる。
【００２２】
これに対し、入射角がθ１１＝４５°で、表面が一様でない被撮像物（例えば表面が波打っている透明フィルムに覆われた写真アルバム）に光が照射された場合、被撮像物Ｏの表面で反射される反射光には、図９で述べたような理由で、被撮像物の表面（透明フィルム）からの正反射光成分が含まれている。このため、この反射光の光強度レベルは、シェーディング補正時の基準レベルを超えてしまい、複写物において筋状の白色画像領域として現れてしまう。
【００２３】
そこで、本実施形態では、入射角をより大きくすることで、反射光に含まれる正反射光成分を低減させる。すなわち、入射角が第１光源１１１よりも大きく設定されている第２光源１１２を用いて被撮像物Ｏに光を照射する。
以下、入射角が大きくなると正反射光成分が低減する理由について説明する。
【００２４】
図４は、透明フィルムが波打った状態の写真アルバムに対し、入射角４５°の光を照射したときの様子を示した断面図である。図示のような波打ち部分の形状を考慮すると、透明フィルムＦの表面では、光が照射される箇所が多少違ったとしても、それらの箇所（領域Ｆ１）に照射された光はすべてミラー１１３の方向に反射される。この結果、比較的広い領域Ｆ１において入射光のすべてが正反射してしまい、非常に強い強度の反射光がミラー１１３を経由して撮像素子へと導かれることになる。
【００２５】
これに対し、図５は、透明フィルムが波打った状態の写真アルバムに対し、入射角６５°の光を照射したときの様子を示した断面図である。図５に示すように、入射角が大きくなると、透明フィルムＦの表面において光が照射される箇所が少し違っただけで、それらの箇所に照射された光が反射する方向が大きく異なる。この結果、非常に狭い領域Ｆ２で正反射した光だけがミラー１１３の方向に進行する。よって、ミラー１１３へと反射する反射光に含まれる正反射光成分は、入射角４５°のときよりも低減することになる。
これが、入射角を大きくすると正反射光成分が低減する理由である。
【００２６】
再び図２に戻り、画像形成部２０の構成を説明する。図２に示すように、画像形成部２０は、画像形成ユニット２１０ａ，２１０ｂ，２１０ｃ，２１０ｄと、中間転写ベルト２２０と、一次転写ロール２３０ａ，２３０ｂ，２３０ｃ，２３０ｄと、二次転写ロール２４０と、バックアップロール２５０と、給紙機構２６０と、定着機構２７０とを備えている。中間転写ベルト２２０は、図示せぬ駆動手段によって図中の矢印Ｂ方向に移動される無端のベルト部材である。一次転写ロール２３０ａ，２３０ｂ，２３０ｃ，２３０ｄは、中間転写ベルト２２０を介して、画像形成ユニット２１０ａ，２１０ｂ，２１０ｃ，２１０ｄの感光体ドラムの側に付勢されている。これら感光体ドラムにはトナー像が形成され、そのトナー像は中間転写ベルト２２０に転写される。二次転写ロール２４０およびバックアップロール２５０は、中間転写ベルト２２０が記録用紙Ｐと対向する位置において相互に付勢されており、中間転写ベルト２２０から記録用紙Ｐにトナー像を転写させる。給紙機構２６０は種々の記録用紙Ｐを収容した用紙トレイ２６１ａおよび２６１ｂを備え、画像形成時にこの記録用紙Ｐを供給する。定着機構２７０は記録用紙Ｐを加熱および加圧するためのロール部材を備えており、記録用紙Ｐ表面に転写されたトナー像を熱と圧力とで定着させる。このようにして、画像形成部２０は各色トナーを用いて記録用紙Ｐに画像を形成する。
【００２７】
続いて、上述の画像形成装置１の機能的な構成について説明する。
図６は、画像形成装置１の構成を機能的に示したブロック図である。画像形成装置１は、上述の画像読取部１０と画像形成部２０に加え、制御部３０と、記憶部４０と、画像処理部５０と、操作部６０と、データ入出力部７０とを備えている。
【００２８】
制御部３０は図示せぬＣＰＵ（Central Processing Unit）やＲＡＭ（Random Access Memory），ＲＯＭ（Read Only Memory）等を備えた演算装置であり、記憶部４０に記憶された各種プログラムＰＲＧを実行することによって画像形成装置１各部の動作を制御する。記憶部４０は例えばＨＤＤ（Hard Disk Drive）等の大容量の記憶装置であり、上述した画像形成装置１各部を動作させるための各種のプログラムＰＲＧを記憶している。画像処理部５０は複数のＡＳＩＣ（Application Specific Integrated Circuit）やＬＳＩ（Large Scale Integration）等の画像処理回路や画像データを一時的に記憶するイメージメモリ等を備えており、それぞれの画像処理回路が所定の画像処理を実行する。画像処理部５０は、画像読取部１０が生成した画像信号に基づき、各種の画像処理を施して画像データを生成し、これを画像形成部２０に出力する。
【００２９】
操作部６０は例えばタッチパネル式のディスプレイや各種のボタン等を備えており、画像形成装置１の操作者による指示が入力される。入力された指示は制御部３０へと供給される。データ入出力部７０は外部装置とデータをやりとりするためのインターフェース装置である。画像形成装置１は、必要に応じて、画像形成部２０に出力する画像データを、コンピュータやプリンタ等の外部装置に対しても供給することも可能となっている。
【００３０】
この画像形成装置１の動作モードには、第１の動作モードと第２の動作モードという２種類がある。制御部３０は、これらの動作モードを切り替える手段として機能する。操作部６０のディスプレイには動作モードを選択するための画面が表示されるようになっており、操作者はこの画面で所望の動作モードを選択する。制御部３０は、操作者による選択指示に応じて、これらの動作モードを切り替える。
【００３１】
第１の動作モードは、表面が一様な被撮像物を読み取るための動作モードである。この第１の動作モードにおいては、第１光源１１１から被撮像物Ｏに光が照射されてスキャン動作が行われる。より具体的には、第１光源１１１が被撮像物Ｏに光を照射する。このとき第２光源１１２は消灯している。この状態でフルレートキャリッジ１１０が図２の矢印Ｃ方向に移動すると、被撮像物Ｏの全面に渡って第１光源１１１からの光が照射され、その反射光がラインセンサ１４０に読み取られる。この結果、ラインセンサ１４０により画像信号が生成され、画像処理部５０に出力される。画像処理部５０は、この画像信号に所定の画像処理を施して画像形成部２０に供給する。画像形成部２０は、この画像データに基づき、各色トナーを用いて記録用紙Ｐに画像を形成する。
【００３２】
一方、第２の動作モードとは、表面が一様でない被撮像物を読み取るための動作モードである。この第２の動作モードにおいては、第２光源１１２から被撮像物Ｏに光が照射されてスキャン動作が行われる。具体的には、第１光源１１１が消灯し、第２光源１１２が被撮像物Ｏに光を照射する。この状態でフルレートキャリッジ１１０が図２の矢印Ｃ方向に移動すると、被撮像物Ｏの全面に渡って第２光源１１２からの光が照射され、その反射光がラインセンサ１４０に読み取られる。この結果、ラインセンサ１４０により画像信号が生成され、画像処理部５０に出力される。画像処理部５０は、この画像信号に所定の画像処理を施して画像形成部２０に供給する。画像形成部２０は、この画像データに基づき、各色トナーを用いて記録用紙Ｐに画像を形成する。
【００３３】
以上説明したように、表面が一様でない被撮像物Ｏを読み取る際には、その被撮像物Ｏに照射する光の入射角をより大きくすることで、反射光に含まれる正反射光成分を低減させる。よって、反射光に含まれる正反射光成分を原因とする、複写物上の白色画像領域の発生を抑制することが可能となる。
【００３４】
（３）変形例
制御部３０が、動作モードを切り替える処理は次のような変形が可能である。
（３−１）変形例１
制御部３０は、被撮像物Ｏに対して、まず第１の動作モードでプレスキャンを行い、その結果に基づいて、第２の動作モードに遷移すべきか否かを判断するようにしてもよい。
具体的には、制御部３０は、まず第１の動作モードにおいて、プレスキャンとして第１光源１１１から被撮像物Ｏに光を照射させ、ラインセンサ１４０によって画像信号を生成させる。そして、制御部３０は、このプレスキャンにおいてラインセンサ１４０によって生成された画像信号を解析し、この画像信号が表す光強度レベルと、基準白板などからの反射光によって特定される基準レベルとを比較する。ここで、画像信号が表す光強度レベルが基準レベルよりも大きい場合には、被撮像物Ｏからの反射光に相当レベルの正反射光成分が含まれていることを意味する。よって、制御部３０は、第１の動作モードから第２の動作モードに切り替えて、再度、スキャン動作を行わせる。このようにすれば、まず最初にプレスキャンを行う必要はあるが、操作者が動作モードを切り替える操作を行う手間が省けるし、操作者がどちらの動作モードにすべきかを考える必要がない。
【００３５】
（３−２）変形例２
また、変形例１のように、制御部３０がラインセンサ１４０から出力される画像信号に基づいて動作モードの切り替えの要否を判断するのではなく、画像処理部５０によって生成された画像データに基づいて動作モードの切り替えの要否を判断するようにしてもよい。具体的には、制御部３０は、まず第１の動作モードでプレスキャンとして、第１光源１１１から被撮像物Ｏに光を照射させ、ラインセンサ１４０によって画像信号を生成させ、さらに画像処理部によって被撮像物全体の画像データを生成させる。そして、制御部３０は、生成された画像データをイメージ解析し、画像中に一定方向に延びる所定の長さ以上の白色の画像領域が複数存在するか否かを判断する。つまり、被撮像物Ｏの表面の波打ち形状による白色画像領域は、図７に示すような白色画像領域ｇとして現れるから、制御部３０はこのような白色画像領域を検知した場合には、第１の動作モードから第２の動作モードに切り替えて、再度、スキャン動作を行わせる。このようにしても、まず最初にプレスキャンを行う必要はあるが、操作者が動作モードを切り替える操作を行う手間が省けるし、操作者がどちらの動作モードにすべきかを考える必要がない。さらに、変形例１よりも正確に動作モードの切り替えの要否を判断することができる。
【００３６】
（３−３）変形例３
上記変形例１又は変形例２において、さらに次のようにしてもよい。
図８は、この変形例３のフルレートキャリッジ１１０の構成を示す図である。このフルレートキャリッジ１１０は、第２光源１１２を実線の位置（入射角θ１２）と一点鎖線の位置（入射角θ１３）と間で移動させることで、被撮像物Ｏへの入射角を変化させる入射角可変手段を備えている。具体的には、モータの駆動軸に各種歯車を組み合わせ、制御部３０が、モータの駆動を制御することで、第２光源１１２を実線の位置と一点鎖線の位置と間の任意に位置へと移動させる。変形例１、２において、例えば入射角６０°で第２の動作モードでのスキャン動作が実行された後に、制御部３０が画像信号又は画像データに基づき、再度、被撮像物Ｏからの反射光に正反射光成分が含まれているか否かを判断する。この判断の結果、またしても被撮像物Ｏからの反射光に正反射光成分が含まれていると判断された場合には、制御部３０は、入射角を６０°よりもさらに大きくし、例えば入射角６５°で、もう一度、第２の動作モードでのスキャン動作を実行する。以降、制御部３０は、同様の手順で、被撮像物Ｏからの反射光に正反射光成分が含まれていないと判断するまで、入射角を徐々に大きくしてスキャン動作を行う。入射角が４５°に近いほど画像そのものの読み取り処理には適している。よって、この変形例３によれば、複写物に白色画像領域を生じさせない範囲で、良好に被撮像物を読み取ることが可能となる。
【００３７】
（３−４）変形例４
フルレートキャリッジは、種々の構成を採り得る。まず、光源の位置は上述した実施形態に限定されず、第１光源の入射角は、表面が一様な被撮像物を良好に読み取ることができる角度であればよく、おおよそ４５°であることが望ましいが、４５°から１〜２°だけずれていてもよい。第２光源の入射角は第１光源の入射角よりも大きければよく、好適にはおおよそ６０°〜７０°の範囲にあることが望ましい。
【００３８】
（３−５）変形例５
上述の実施形態においては、ラインセンサ１４０はオンチップカラーフィルタを備えた複数ラインのＣＣＤイメージセンサであると説明したが、本発明はもちろん、このような構成に限定されない。例えば、撮像手段が１ラインのイメージセンサであって、スライド式または回転式のカラーフィルタを備える構成であってもよい。このような構成とすれば、ラインセンサをより安価に構成することができるが、読み取る色数を増加させると、そのぶん読み取り動作を行う回数も増加する欠点を有する。また、ラインセンサが読み取る色数についても４色に限定されず、５色以上であってもよい。色数が多いほど分光反射率を精度良く推定することが可能となるが、生成される画像信号のデータ量や画像処理時間を考慮すれば、４〜６色程度が適当である。
【００３９】
（３−６）変形例６
上述の実施形態においては、４つの画像形成ユニットを備えたタンデム方式の画像形成部を例に挙げて説明したが、ロータリー方式の画像形成部であってもよい。また、中間転写ベルトに代えて用紙搬送ベルトを備え、中間転写体（中間転写ベルト）への転写を行わずに感光体ドラムから記録用紙に直接転写を行ってもよい。
【００４０】
（３−７）変形例７
なお、上述の実施形態においては、本発明を画像形成装置に適用した場合で説明したが、このような態様に限定されない。例えば、本実施形態の画像読取部に相当する構成を備えた撮像装置（スキャナ）だけで、画像形成部を備えていなくとも一定の効果を奏することができる。すなわち、本発明はこのような撮像装置としても特定される。
【図面の簡単な説明】
【００４１】
【図１】被撮像物からの光の反射状態を概念的に示した図である。
【図２】本発明の一実施形態に係る実施形態に係る画像形成装置の装置構成を示したブロック図である。
【図３】同実施形態に係る画像形成装置のフルレートキャリッジの構成を示した図である。
【図４】表面が一様でない被撮像物に光を照射した場合の反射光の状態を示した図である。
【図５】表面が一様でない被撮像物に光を照射した場合の反射光の状態を示した図である。
【図６】同画像形成装置の機能構成を示した図である。
【図７】被撮像物表面の波打ち形状による白色画像領域を示す図である。
【図８】フルレートキャリッジの変形例を示した図である。
【図９】表面が一様でない被撮像物に光を照射した場合の反射光の状態を示した図である。
【符号の説明】
【００４２】
１…画像形成装置、１０…画像読取部、１１０…フルレートキャリッジ、１２０…ハーフレートキャリッジ、１３０…結像レンズ、１４０…ラインセンサ、１５０…プラテンガラス、１６０…プラテンカバー、２０…画像形成部、２１０，２１０ａ，２１０ｂ，２１０ｃ…現像機構、２２０…中間転写ベルト、２３０…一次転写ロール、２４０…二次転写ロール、２５０…バックアップロール、２６０…給紙機構、２７０…定着機構、３０…制御部、４０…記憶部、５０…画像処理部、６０…操作部、７０…データ入出力部。
【図１】
2006279227.tif 000003
【図２】
2006279227.tif 000004
【図３】
2006279227.tif 000005
【図４】
2006279227.tif 000006
【図５】
2006279227.tif 000007
【図６】
2006279227.tif 000008
【図７】
2006279227.tif 000009
【図８】
2006279227.tif 000010
【図９】
2006279227.tif 000011